(57)【特許請求の範囲】
【請求項１】
複数の無線基地局と、該複数の無線基地局のすべてとネットワークとに接続された基地局制御装置とを具備するワイヤレスローカルループシステムにおける加入者端末の移動管理方法であって、
ネットワークの側から加入者端末の１つへの着信要求があったとき、基地局制御装置に接続されたすべての無線基地局から該加入者端末へ呼出信号を送出し、
該呼出信号に対する該加入者端末からの呼出応答をどの無線基地局が受信したかに基いて該加入者端末の位置を決定して記憶する各ステップを具備し、
加入者端末が固定端末であるか移動端末であるかの区別が予め記憶され、
ネットワークの側からの着信要求があったとき、該区別に基いてすべての無線基地局からの呼出信号の送出が決定される方法。
【請求項２】
前記複数の加入者端末の１つからの発信要求があったとき該発信要求をどの無線基地局が受信したかに基いて該加入者端末の位置を決定して記憶するステップをさらに具備する請求項１記載の方法。
【請求項３】
ネットワークからの着信要求があったとき、記憶されている加入者端末の位置への呼出信号に応答がなければ、すべての無線基地局から呼出信号が送出される請求項１記載の方法。
【請求項４】
複数の無線基地局と、該複数の無線基地局のすべてとネットワークとに接続された基地局制御装置とを具備するワイヤレスローカルループシステムであって、
ネットワークの側から加入者端末の１つへの着信要求があったとき、基地局制御装置に接続されたすべての無線基地局から該加入者端末へ呼出信号を送出する手段と、
該呼出信号に対する該加入者端末からの呼出応答をどの無線基地局が受信したかに基いて該加入者端末の位置を決定して記憶する手段とを具備し、
加入者端末が固定端末であるか移動端末であるかの区別を予め記憶する手段をさらに具備し、
前記呼出信号送出手段は、ネットワークの側からの着信要求があったとき、該区別に基いてすべての無線基地局からの呼出信号の送出を決定するシステム。
【請求項５】
前記複数の加入者端末の１つからの発信要求があったとき該発信要求をどの無線基地局が受信したかに基いて該加入者端末の位置を決定して記憶する手段をさらに具備する請求項４記載のシステム。
【請求項６】
前記呼出信号送出手段は、ネットワークからの着信要求があったとき、記憶されている加入者端末の位置への呼出信号に応答がなければ、すべての無線基地局から呼出信号を送出する請求項４記載のシステム。
【発明の詳細な説明】
【０００１】
【発明の属する技術分野】
本発明は、ユーザ端末装置からネットワークへのアクセス回線、特に、加入者端末から交換機までの加入者回線、を無線で実現するワイヤレスローカルループ（ＷＬＬ）システムにおいて加入者端末の移動を可能にする加入者端末の移動管理方法とそれを実現するＷＬＬシステムに関する。
【０００２】
【従来の技術】
ユーザ端末装置からネットワークへのアクセス回線、特に、加入者端末から交換機までの加入者回線を、無線により比較的安価に実現するＷＬＬシステムが注目されている。このＷＬＬシステムはＰＨＳ（パーソナルハンディホンシステム）のような移動通信システムの技術をそのまま応用して実現することができる。
【０００３】
ＰＨＳなどの移動通信システムでは、網側から移動端末への着信のために、位置登録機能により各移動端末がどこにいるかが常に網側から監視される。すなわち、各無線基地局から位置情報を含む報知情報が常時発信される。移動端末は待期中のときもこれを受信して位置情報を記憶し、受信可能な基地局が複数のときは受信レベル、エラーレートを基準として１つの無線基地局を選択して位置情報を記憶する。移動により、記憶している位置情報と受信した位置情報に相違が生じたら、端末から網に対して端末の現在位置の登録要求を出す。これによって、網側では各移動端末の現在位置を常に把握することができ、網側から移動端末への着信が可能になる。
【０００４】
【発明が解決しようとする課題】
移動通信システムの技術をＷＬＬシステムに適用するとしても、ＷＬＬシステムでは各端末が固定されているのが原則であるから、システムにとって負担の大きい位置登録機能はシステム側には実装する必要がない。
しかしながら、ＷＬＬシステムでも移動端末を使用したいという要望が強く、この場合に、位置登録機能なしで端末がどの呼出エリアにいるかが把握できて、網側から端末への着信が効率良く行なえることが望ましい。また、固定端末の場合でも、事業所の引っ越し等により固定端末が他の呼出エリアへ移動したときに、特別な設置工事なしでサービスを続行できることが望ましい。
【０００５】
したがって本発明の目的は、移動通信システムにおける位置登録機能を実装することなく、加入者端末がどの呼出エリアにいるかを把握することができて、網側から加入者端末への着信を効率良く行なうことのできるＷＬＬシステムにおける加入者端末の移動管理方法およびそれを実現するＷＬＬシステムを提供することにある。
【０００６】
【課題を解決するための手段】
本発明によれば、複数の無線基地局と、該複数の無線基地局のすべてと交換機とに接続された基地局制御装置とを具備するワイヤレスローカルループシステムにおける加入者端末の移動管理方法であって、交換機の側から加入者端末の１つへの着信要求があったとき、基地局制御装置に接続されたすべての無線基地局から該加入者端末へ呼出信号を送出し、該呼出信号に対する該加入者端末からの呼出応答をどの無線基地局が受信したかに基いて該加入者端末の位置を決定して記憶する各ステップを具備する方法が提供される。
【０００７】
本発明によれば、複数の無線基地局と、該複数の無線基地局のすべてと交換機とに接続された基地局制御装置とを具備するワイヤレスローカルループシステムであって、交換機の側から加入者端末の１つへの着信要求があったとき、基地局制御装置に接続されたすべての無線基地局から該加入者端末へ呼出信号を送出する手段と、該呼出信号に対する該加入者端末からの呼出応答をどの無線基地局が受信したかに基いて該加入者端末の位置を決定して記憶する手段とを具備するシステムもまた提供される。
【０００８】
一般の移動無線システムの場合、移動端末が移動可能な範囲が広いので、着呼のたびにすべてのエリアに対して呼出をかけるのは現実的ではない。しかし、ＷＬＬシステムでは１つの基地局制御装置の配下にある無線基地局の数は多くないので、すべての無線基地局へ呼出をかけてもシステムの負担は大きくない。
また、一般の移動無線システムおける位置登録においては、移動端末に無線基地局から受信される位置情報が変化しない限り位置登録要求を出さないので、システム側の障害で各端末の位置登録情報を失なうとすみやかな復旧が困難であり、絶対にそうならないような仕組みが必要である。これに対して本発明の移動管理方法によれば、システム側で端末の位置情報を失っても、端末への着信または端末からの発信時に位置情報を新たに取得することができる。
【０００９】
【発明の実施の形態】
図１は本発明の一実施例に係るＷＬＬシステムの構成を示す。呼出エリア１０の各々には少なくとも１台の無線基地局１２が配置される。すべての無線基地局１２は基地局制御装置１４に接続され、基地局制御装置１４はさらに世界標準インターフェースで電話網１６の交換機に接続される。１８はＷＬＬシステムのサービスを受ける加入者端末を示す。加入者端末１８にはＳＵ（Subscriber Unit ）に接続された宅内電話機や公衆電話などの固定設置型の端末の他に、移動端末（ＰＳ＝Portable Station）が含まれる。ＷＬＬシステムの加入者の課金情報などは電話網１６の他の加入者の情報と全く同じ扱いでホームメモリ２０へ格納される。一方、各加入者端末の位置情報などのＷＬＬシステム固有の情報はすべて後述するように基地局制御装置１４に格納される。したがって、世界標準インターフェースを有する交換機であれば網１６側の設計変更なしで接続が可能である。すなわち本システムは交換機互換のシステムである。
【００１０】
図２は基地局制御装置１４の構成を示す。呼制御および通信路の設定を行なう呼制御通信部２２は交換機インターフェース２４を介して電話網１６（図１）の交換機に接続され、無線基地局インターフェース２６を介して多数の無線基地局１２へ接続されている。
呼制御通信部２２は、呼制御を行なうにあたり、局データ２８および固定加入者情報３０の内容を参照し、可変加入者情報３２の内容の読み書きを行なう。
【００１１】
局データ２８には、基地局制御装置１４に接続されている無線基地局１２（図１）の番号と各無線基地局１２が属する呼出エリア１０の番号が記憶されている。前述したように、各呼出エリア１０に１台もしくはそれ以上の無線基地局１２が配置される。固定加入者情報３０には、ＷＬＬシステムの各加入者端末１８の番号（電話番号）とそれが移動端末（ＰＳ）であるか固定端末（ＳＵ）であるかの区別が記憶されている。可変加入者情報３２には、後述する処理により決定された各端末の位置情報、すなわち、各端末１８がどの呼出エリア１０に存在するかを示す在圏エリア番号が格納される。端末１８の位置情報として呼出エリア１０の番号を格納する代わりに、各端末１８がどの無線基地局１２と交信しているかを示す基地局番号を格納しても良い。
【００１２】
図３は、加入者端末１８から発信要求があったときにこれを利用して在圏エリア番号（または交信中の基地局の番号）を決定して可変加入者情報３２として格納するまでのシーケンスを示す。
図３において、まず、基地局制御装置１４が起動されると、可変加入者情報３２の在圏エリア番号はすべてリセットされる（ステップ１０００）。その後、加入者端末１８から発信要求が或る無線基地局１２へ向けて出されると、それが基地局制御装置１４へ伝えられる（ステップ１００２）。基地局制御装置１４では固定加入者情報３０を参照して発信要求を出した加入者端末が登録されているか否かを調べ（ステップ１００４）、登録されていなければ発信を拒否する（ステップ１００６）。登録された加入者であれば、発信信号を通知した無線基地局の番号を使って局データ２８をサーチして呼出エリアを決定し（ステップ１００６）、決定された呼出エリアの番号を可変加入者情報３２へ在圏エリア番号として格納する（ステップ１００８）。その後、通常の発信接続処理が開始される。可変加入者情報３２として無線基地局番号を格納する場合には、ステップ１００６の処理は不要であり、発信要求を通知した無線基地局番号が可変加入者情報３２へ格納される。
【００１３】
図４は網１６側から着信要求があったときの在圏エリア番号（または基地局番号）の決定と格納のシーケンスを示す。網側から着信要求があったとき、まず、固定加入者情報３０を参照して着信先の端末が移動端末かどうかが調べられる（ステップ１１００）。移動端末でないとき次に可変加入者情報３２を参照して、着信先の端末の在圏エリア番号が記憶されているかどうかが調べられる。在圏エリア番号が記憶されていれば、その呼出エリアに対して呼出信号を送出し（ステップ１１０４）、呼出信号に対して端末から応答があれば（ステップ１１０６）、通常の着信接続処理に移行する。着信先の端末が移動端末のときまたは在圏エリアが格納されていないとき、全エリア呼出の処理へ移行する。
【００１４】
図５は全エリア呼出の処理のシーケンスを示す。すべての無線基地局１〜Ｎに対して着信先の加入者端末を呼び出す呼出信号を送出する（ステップ１２００）。呼出信号に対して端末から応答があれば（ステップ１２０２）、固定加入者情報３０を参照して、応答した端末が登録されているか否かを調べ（ステップ１２０４）、登録されていなければ着信を拒否する（ステップ１２０６）。登録されていれば、発信信号を通知した無線基地局の番号を使って局データ２８をサーチして呼出エリアを決定し（ステップ１２０６）、決定された呼出エリア番号を可変加入者情報３２へ在圏エリア番号として格納する（ステップ１２０８）。その後、通常の着信接続処理が開始される。
【００１５】
図６は固定端末が引っ越しのため、他の呼出エリアに移動しても特別な設置工事なしでサービスを続行することが可能な移動管理方法を実現するシーケンスを示す。網側から（固定端末へ）着信要求があり、可変加入者情報３２に着信先の端末の在圏エリア番号が格納されているとき（ステップ１３００）、着信先の端末へ呼出信号を送出するとともに（ステップ１３０２）、呼出応答待ちタイマが起動される（ステップ１３０４）。加入者端末からの呼出応答がない間にタイマがタイムアウトすると、図５を参照して説明した全エリア呼出の処理が実行され、これによって移動後の端末が存在する呼出エリアの番号が可変加入者情報３２へ記憶される。
【００１６】
【発明の効果】
以上述べてきたように本発明によれば、ＷＬＬシステムにおいて、位置登録機能を実装することなく、移動端末へのサービスが可能になる。また、端末の位置情報は網側でなくＷＬＬシステムの側で管理されるので、交換機互換が維持される。
【図面の簡単な説明】
【図１】本発明の一実施例に係るＷＬＬシステムの構成を示す図である。
【図２】図１の基地局制御装置１４の構成を示すブロック図である。
【図３】加入者端末から発信要求があったときの移動管理のシーケンスを示す図である。
【図４】網側から着信要求があったときの移動管理のシーケンスを示す図である。
【図５】全エリア呼出処理のシーケンスを示す図である。
【図６】固定端末の移動に対応可能な移動管理のシーケンスを示す図である。
【符号の説明】
１０…呼出エリア
１２…無線基地局
１８…加入者端末
【図１】
0003929180.tif 000002
【図２】
0003929180.tif 000003
【図３】
0003929180.tif 000004
【図４】
0003929180.tif 000005
【図５】
0003929180.tif 000006
【図６】
0003929180.tif 000007